(57)【要約】【課題】磁気ヘッドの磁界発生面の面積を低減し、情報信号の記録速度を向上可能な光磁気記録装置を提供する。【解決手段】磁気ヘッド１０を支持するサスペンション１５をジンバル１４とは別個の部材で構成する。その結果、ジンバル１４は磁気ヘッド１０を十分に弾力的に保持しつつ電流供給に際しての電力損失を最小限にし、且つ、サスペンション１５は外部から加わる振動や衝撃による変位や回動変位を抑制するという相異なる特性を両立できる。これによって、外部から加わる振動や衝撃による磁気ヘッドの変位、或いは記録媒体４の垂直方向の変位に伴う水平方向の変位を低減できるので、磁気ヘッド１０のコア寸法を小さくしても磁界印加領域内に光スポットを形成でき、その結果、磁気ヘッドのインダクタンスは低下し、記録速度を向上できる。【選択図】          図１
2004227712.tif 000002
【特許請求の範囲】
【請求項１】
光磁気記録媒体の表面に向かって下降傾斜するように配置され、先端に前記光磁気記録媒体に磁界を印加する磁気ヘッドを保持する磁気ヘッド支持機構において、前記磁気ヘッドを弾力的に保持するとともに、前記磁気ヘッドに電気的に接続されて電流供給路を構成するジンバル、前記ジンバルを保持し、前記ジンバルより剛性の高い別の部材から成り、弾性変形することによって前記磁気ヘッドの前記光磁気記録媒体上へのロード（押圧）／アンロード（退避）動作を行うためのサスペンションによって構成されたことを特徴とする磁気ヘッド支持機構。
【発明の詳細な説明】
【０００１】
【発明の属する技術分野】
本発明は、光磁気記録媒体に磁気ヘッドによって磁界を印加すると同時に光ヘッドによって光ビームを照射することにより情報信号を記録する光磁気記録装置、特に、光磁気記録媒体に情報信号で変調された磁界を印加する磁気ヘッドの支持機構の改良に関するものである。
【０００２】
【従来の技術】
従来、光磁気記録層を有する光磁気記録媒体に対して、磁気ヘッドによって情報信号によって変調された磁界を印加すると同時に、磁界の印加部分に光ヘッドによって光ビームを照射することで情報信号の記録を行う磁界変調方式の光磁気記録装置が実用化されている。
【０００３】
図６は従来の光磁気記録装置の概略構成を示す側面図である。図中２１は磁気ヘッド支持機構、２２は光ヘッド、２３は磁気ヘッド支持機構２１と光ヘッド２２を結合する結合部材、２４は光磁気記録媒体である。
【０００４】
光ヘッド２２は光磁気記録媒体２４に光ビームを照射するための対物レンズ２５を備えている。また、２６は光磁気記録媒体２４を内包するカートリッジであり、その一部には光磁気記録媒体２４を露出させるための開口Ｗが設けられている。
【０００５】
磁気ヘッド支持機構２１は、光磁気記録媒体２４に磁界を印加する磁気ヘッド３０を支持する支持機構であり、磁気ヘッド３０を先端に保持する支持部材３４ａ、３４ｂ、補強部材３６及び保持基板３７より構成されている。２７は磁気ヘッド支持機構２１を駆動するための駆動部材、２８は磁気ヘッド３０に電流供給するための磁気ヘッド駆動回路、２９は電流供給用の配線である。
【０００６】
図７は磁気ヘッド支持機構２１の詳細を示す図である。図７（ａ）は上面図、図７（ｂ）は側面図である。磁気ヘッド３０はコア３１、コアの周囲に設けられたコイル３２、及びコア３１とコイル３２とを搭載したスライダー３３から構成されている。コア３１は磁性材料から成り、その端面は光磁気記録媒体２４に対向するように形成され、スライダー３３は潤滑性を有する樹脂やセラミック等の材料から成る。
【０００７】
支持部材３４ａ、３４ｂは対を成し、それぞれ磁気ヘッド３０を先端に保持するジンバル部Ｇａ，Ｇｂと、保持基板３７に取り付けられ、ジンバル部Ｇａ，Ｇｂを磁気ヘッド３０とともに保持するサスペンション部Ｓａ，Ｓｂとが形成され、その中間部分には補強のための補強部材３６が取り付けられている。支持部材３４ａ、３４ｂは弾性を有するリン青銅、ベリリウム銅等の薄板の単一部材から成り、ジンバル部Ｇａ，Ｇｂにおける幅は０．２〜０．５ｍｍ、サスペンション部Ｓａ、Ｓｂにおける幅は２〜５ｍｍである。また、補強部材３６は樹脂材料から、保持基板３７はステンレスから成る。
【０００８】
ジンバル部Ｇａ，Ｇｂはそれぞれ磁気ヘッド３０のコイル３２の両端に電気的に接続され、サスペンション部Ｓａ，Ｓｂは保持基板３７に形成された角穴Ｈ内への露出部分において、配線２９と電気的に接続されている。支持部材３４ａ、３４ｂは後述するように磁気ヘッド３０のコイル３２に電流供給するための電流供給路を構成しており、そのため電気抵抗率が小さく、ハンダ接続が容易な銅合金から成る一体部材で構成している。
【０００９】
ここで、サスペンション部Ｓａ，Ｓｂの保持基板３７への接続は強固であり、且つ、両者は電気的に絶縁されなければならない。そこで、サスペンション部Ｓａ，Ｓｂの取り付け部位には樹脂材料から成る絶縁部材３８が、サスペンション部Ｓａ，Ｓｂを上下両面から挟むように、上側の突起部Ｐａ１、Ｐａ２、Ｐｂ１、Ｐｂ２とともに一体的に成形されており、一方保持基板３７には孔が形成されている。そして、絶縁部材３８の突起部Ｐａ１、Ｐａ２、Ｐｂ１、Ｐｂ２は保持基板３７の孔に嵌合された後、保持基板３７の上への突出部分が保持基板３７上面に溶着されている。
【００１０】
サスペンション部Ｓａ，Ｓｂは、保持基板３７への取り付け位置において、カートリッジ２６の開口Ｗに向かって下方に屈曲しており、その付勢力によって磁気ヘッド３０を開口Ｗ内において光磁気記録媒体２４上にロード（押圧）する。また、駆動部材２７を矢印Ａで示す方向にスライド駆動し、補強部材３６に当接させて押し上げることにより、サスペンション部Ｓａ，Ｓｂを弾性変形させて磁気ヘッド支持機構２１全体を矢印Ｂで示すように回動させ、磁気ヘッド３０を光磁気記録媒体２４上からアンロード（退避）させることができる。
【００１１】
カートリッジ２６の開口Ｗ内において、光ヘッド２２は光磁気記録媒体２４の下面側に配置され、磁気ヘッド３０は光ヘッド２２に対向して上面側にロード（押圧）される。この時磁気ヘッド支持機構２１はカートリッジ２６の上面の上方から開口Ｗ内に向かって下降傾斜している。磁界発生部であるコア３１の端面の中心が、光ヘッド２２の対物レンズ２５の光軸Ｚ上（光磁気記録媒体２４上に形成する光スポットの位置）に位置付けられるように磁気ヘッド３０と光ヘッド２２の位置が調整され、結合されている。
【００１２】
磁気ヘッド駆動回路２８からの電流は、配線２９、サスペンション部Ｓａ，Ｓｂ、ジンバル部Ｇａ，Ｇｂを経て磁気ヘッド３０のコイル３２に供給される。このように磁気ヘッド３０の支持部材３４ａ、３４ｂ自体を電流供給路として使用すれば、配線をジンバル部Ｇａ、Ｇｂに沿って配設固定したり、磁気ヘッド３０に対して直接接続する必要はない。従って、配線２９の持つ剛性が支持部材３４ａ、３４ｂ、特にジンバル部Ｇａ、Ｇｂにおける機械的な特性に悪影響を及ぼすことが無く、製造も容易である。
【００１３】
【発明が解決しようとする課題】
ところで、近年の情報信号の記録速度の向上に伴なって磁界の変調周波数を高くする必要が生じ、このため磁気ヘッド３０はコア３１の光磁気記録媒体２４に対向する端面（磁界発生部）の面積を小さくすることによってインダクタンスを小さくする傾向がある。この時、磁界の印加領域も縮小するので、光ヘッド２２が形成する光スポットとの間により高い位置精度が求められている。
【００１４】
しかしながら、外部から光磁気記録装置に加わる振動や衝撃によって、磁気ヘッド３０はロードされた状態において光磁気記録媒体２４に平行な方向への変位を生じる。
【００１５】
更に、磁気ヘッド３０を保持する支持部材３４ａ、３４ｂはカートリッジ２６の上面の上方から開口Ｗ内に向かって下降傾斜する形状であるため、光磁気記録媒体２４の表面の高さばらつきや回転に伴う面振れ等によって、磁気ヘッド３０は光磁気記録媒体２４に対して垂直方向のみでなく、同時に水平方向へも変位する。
【００１６】
このような作用について図８により説明する。図８において、実線で示す位置から上方向に変位した各部の位置を一点鎖線で示している。光磁気記録媒体２４の表面が垂直方向に変位する時、支持部材３４ａ、３４ｂ全体がサスペンション部Ｓａ，Ｓｂの取り付け位置を中心として回動変位を生じ、その結果、磁気ヘッド３０は矢印Ｃで示すように円弧状に変位するのである。
【００１７】
このような回動変位に伴う水平方向への変位は、支持部材３４ａ、３４ｂの光磁気記録媒体２４に対する傾斜の大きさに比例するが、前述のように支持部材３４ａ、３４ｂをカートリッジ２６の上面の上方より開口Ｗに向かって下降傾斜するように配置することにより、その傾斜角度を小さくするには限界がある。また、ジンバル部Ｇａ，Ｇｂとサスペンション部Ｓａ，Ｓｂとが単一部材で構成されているので、ジンバル部Ｇａ，Ｇｂについては磁気ヘッド３０を十分に弾力的に保持し、且つ、サスペンション部Ｓａ、Ｓｂについては回動変位を抑制するという相異なる特性を両立させることが困難である。
【００１８】
この磁気ヘッド３０の振動や衝撃による変位、或いは支持部材３４ａ、３４ｂの回動変位に伴う水平方向の変位によって、コア３１の端面も光ヘッド２２の対物レンズ２５の光軸Ｚに対して変位する。そこで、たとえこのような変位を生じても、磁界の印加領域内に光スポットが形成されるように磁界の印加領域は想定される変位量も見込んだ十分な広さを有していなければならない。
【００１９】
通常、この磁界の印加領域の大きさは磁気ヘッド３０のコア３１の端面の大きさにほぼ等しい。つまり、コア３１の端面の寸法の下限は磁気ヘッド３０の水平方向の変位量によって定まり、このため磁気ヘッド３０のインダクタンスを十分に低減することができず、これが情報信号の記録速度向上の障害となるのである。
【００２０】
また、支持部材３４ａ、３４ｂは磁気ヘッド３０への電流供給路でもあるため、電気抵抗率が小さく、ハンダ接続が容易な銅合金から成る一体部材で構成しているのであるが、金属材料から成る保持基板３７への取り付けにおいて、絶縁部材３８を介することによる電気的な絶縁が必要である。しかしながら、このような絶縁部材３８を設けることによって、装置の高さは増大するので小型化の支障となる。更には、サスペンション部Ｓａ，Ｓｂの取り付け位置も高くなるので、支持部材３４ａ、３４ｂの傾斜も大きくなり、その結果、上記の回動変位に伴う磁気ヘッド３０の水平方向の変位がますます増大するという問題点があった。
【００２１】
本発明は、上記従来の問題点に鑑みなされたもので、その目的は、磁気ヘッドの磁界発生面の面積を低減でき、情報信号の記録速度を向上することが可能な磁気ヘッド支持機構及び光磁気記録装置を提供することにある。
【００２２】
【課題を解決するための手段】
本発明は、上記目的を達成するため、光磁気記録媒体の表面に向かって下降傾斜するように配置され、先端に光磁気記録媒体に磁界を印加する磁気ヘッドを保持する磁気ヘッド支持機構において、磁気ヘッドを弾力的に保持するとともに、磁気ヘッドに電気的に接続されて電流供給路を構成するジンバル、ジンバルを保持し、ジンバルより剛性の高い別の部材から成り、弾性変形することによって磁気ヘッドの光磁気記録媒体上へのロード（押圧）／アンロード（退避）動作を行うためのサスペンションによって構成されたことを特徴とする。
【００２３】
本発明は、これによってジンバル及びサスペンションのそれぞれに必要とされる特性を与えることができる。その結果、ジンバルは磁気ヘッドを十分に弾力的に保持しつつ電流供給に際しての電力損失を最小限にし、且つ、サスペンションは外部から加わる振動や衝撃による変位や、回動変位を抑制するという相異なる特性を両立することができる。
【００２４】
【発明の実施の形態】
次に、本発明の実施の形態について図面により詳細に説明する。
【００２５】
（第１の実施形態）
図１は本発明の第１の実施形態の概略構成を示す側面図である。図中１は磁気ヘッド支持機構、２は光ヘッド、３は磁気ヘッド支持機構１と光ヘッド２を結合する結合部材、４は光磁気記録媒体である。
【００２６】
光ヘッド２は光磁気記録媒体４に光ビームを照射するための対物レンズ５を備えている。６は光磁気記録媒体４を内包するカートリッジであり、その一部には光磁気記録媒体４を露出させるための開口Ｗが設けられている。
【００２７】
磁気ヘッド支持機構１は、光磁気記録媒体４に磁界を印加する磁気ヘッド１０を支持するものであり、磁気ヘッド１０を保持するジンバル１４（１４ａ、１４ｂ）、補強部材１６、サスペンション１５（１５ａ、１５ｂ）、及び保持基板１７より構成されている。７は磁気ヘッド支持機構１を駆動するための駆動部材、８は磁気ヘッド１０に電流供給するための磁気ヘッド駆動回路、９は電流供給用の柔軟性のある配線（プリント配線板）である。
【００２８】
図２は磁気ヘッド支持機構１の詳細を示す。図２（ａ）は上面図、図２（ｂ）は側面図である。磁気ヘッド１０はコア１１、コアの周囲に設けられたコイル１２、及びコア１１とコイル１２とを搭載したスライダー１３から構成されている。コア１１は磁性材料から成り、その端面は光磁気記録媒体４に対向するように形成され、スライダー１３は潤滑性を有する樹脂やセラミック等の材料から成る。
【００２９】
磁気ヘッド１０は１対のジンバル１４ａ、１４ｂの先端に保持され、ジンバル１４ａ、１４ｂは磁気ヘッド１０とともに１対のサスペンション１５ａ、１５ｂにより保持され、サスペンション１５ａ、１５ｂは保持基板１７に取り付けられている。ジンバル１４ａ、１４ｂとサスペンション１５ａ、１５ｂとの結合部分は補強部材１６により補強されている。保持基板１７を結合部材３に取り付けることにより、磁気ヘッド支持機構１は光ヘッド２と結合されている。
【００３０】
ジンバル１４ａ、１４ｂはＵ字形状で、一例として弾性を有するリン青銅、ベリリウム銅等の厚さ３０〜５０μｍ、幅０．２〜０．６ｍｍの薄板から成り、サスペンション１５ａ、１５ｂは、一例として弾性を有するリン青銅、ベリリウム銅等の厚さ４０〜７０μｍ、幅２〜６ｍｍの薄板から、保持基板１７はステンレスの板から成る。補強部材１６は樹脂材料から成り、ジンバル１４ａ、１４ｂとサスペンション１５ａ、１５ｂをインサートして成形されている。
【００３１】
ジンバル１４ａ、１４ｂはそれぞれ磁気ヘッド１０のコイル１２の両端に電気的に接続され、サスペンション１５ａ、１５ｂは保持基板１７に形成された角穴Ｈ内への露出部分において配線９と電気的に接続されている。ジンバル１４ａ、１４ｂとサスペンション１５ａ、１５ｂは補強部材１６に形成された凹部Ｒ１内への露出部分において、それぞれ電気的に接続されており、これらの部材は後述するように磁気ヘッド１０のコイル１２に電流供給するための電流供給路を構成している。
【００３２】
ここで、サスペンション１５ａ、１５ｂの保持基板１７への接続は強固であり、且つ、両者は電気的に絶縁されなければならない。そこで、サスペンション１５ａ、１５ｂの取り付け部位には、樹脂材料から成る絶縁部材１８が、サスペンション１５ａ、１５ｂを上下両面から挟むように、上側の突起部Ｐａ１、Ｐａ２、Ｐｂ１、Ｐｂ２と共に一体的に成形されている。一方、保持基板１７には孔が形成されており、絶縁部材１８の突起部Ｐａ１、Ｐａ２、Ｐｂ１、Ｐｂ２を保持基板１７の孔に嵌合した後、保持基板１７上の突出部分を保持基板１７上面で溶着することで、サスペンション１５ａ、１５ｂと保持部材１７が絶縁と同時に固定されている。
【００３３】
サスペンション１５ａ、１５ｂは、保持基板１７への取り付け位置において、カートリッジ６の開口Ｗに向かって下方に屈曲しており、その付勢力によって磁気ヘッド１０を開口Ｗ内において光磁気記録媒体４上にロード（押圧）する。また、駆動部材７を矢印Ａで示す方向にスライド駆動し、補強部材１６に当接させて押し上げることにより、サスペンション１５ａ、１５ｂを弾性変形させて磁気ヘッド支持機構１全体を矢印Ｂで示すように回動させ、磁気ヘッド１０を光磁気記録媒体４上からアンロード（退避）させることができる。
【００３４】
カートリッジ６の開口Ｗ内において、光ヘッド２は光磁気記録媒体４の下面側に配置され、磁気ヘッド１０は光ヘッド２に対向して上面側にロード（押圧）される。この時、磁気ヘッド支持機構１はカートリッジ６の上面の上方から開口Ｗ内に向かって下降傾斜している。磁界発生部であるコア１１の端面の中心が、光ヘッドの対物レンズ５の光軸Ｚ上（光磁気記録媒体４上に形成する光スポットの位置）に位置付けられるように磁気ヘッド１０と光ヘッド２の位置が調整され、結合されている。
【００３５】
磁気ヘッド駆動回路８からの電流は、配線９、サスペンション１５ａ、１５ｂ、ジンバル１４ａ、１４ｂを経て磁気ヘッド１０のコイル１２に供給される。このように磁気ヘッド１０の支持部材自体を電流供給路として使用すれば、配線をジンバル１４ａ、１４ｂに沿って配設固定したり、磁気ヘッド１０に対して直接接続する必要はない。従って、配線９の持つ剛性が支持部材、特にジンバル１４ａ、１４ｂにおける機械的な特性に悪影響を及ぼすことが無く、ジンバル１４ａ、１４ｂを幅が狭くＵ字形状とする等した場合でも、所望の微小な機械特性を安定的に実現することが容易であり、製造も容易である。
【００３６】
ここで、ジンバル１４ａ、１４ｂを薄く、幅が小さい部材で構成することによって、磁気ヘッド１０を垂直方向には十分に弾力的に保持する。また、ジンバル１４ａ、１４ｂの光磁気記録媒体４に対する傾斜を十分に小さくする等の方法で、光磁気記録媒体４の表面の高さのばらつきや回転に伴う面振れ等による磁気ヘッド１０の垂直方向の変位に伴う水平方向の変位を最小限に抑える。また、Ｕ字形状の逆の傾斜を有する折り返し部分に、順方向部分或いはサスペンション１５ａ、１５ｂによって生じる回動変位に伴う水平方向の変位を相殺する機能を持たせることにより、支持部材全体で生じる水平方向の変位を一層低減する効果を持たせることもできる。
【００３７】
一方、サスペンション１５ａ、１５ｂはジンバル１４ａ、１４ｂよりも厚く、幅が広い部材で構成することによってジンバル１４ａ、１４ｂより高い剛性を与えることができ、その結果、外部から光磁気記録装置に加わる振動や衝撃、或いは磁気記録媒体４の変位に対しても変形を生じにくく、磁気ヘッド１０の水平方向の変位の原因となる支持部材の回動変位を抑制することができる。
【００３８】
このような作用について図５により説明する。図５において、実線で示す位置から上方向に変位した各部の位置を一点鎖線で示している。光磁気記録媒体４の表面が垂直方向に変位する時、サスペンション１５ａ、１５ｂの変形は非常に小さく、主にジンバル１４ａ、１４ｂが変形することによって磁気ヘッド１０を矢印Ｃで示すように垂直方向に追従変位させる。従って、コア１１の端面は対物レンズ５の光軸Ｚからずれることはない。
【００３９】
このようにジンバル１４ａ、１４ｂとサスペンション１５ａ、１５ｂとを別個の部材で構成し、それぞれに必要とされる特性に応じて剛性（厚さ）を異ならせることにより、ジンバル１４ａ、１４ｂについては磁気ヘッド１０を十分に弾力的に保持し、且つ、サスペンション１５ａ、１５ｂについては回動変位を抑制するという相異なる特性を両立することができる。
【００４０】
（第２の実施形態）
次に本発明の第２の実施形態について説明する。本実施形態では光磁気記録装置の全体構成については第１の実施形態と同一であるので説明は省略し、特徴を有する磁気ヘッド支持機構１についてのみ説明する。
【００４１】
図３は本実施形態の磁気ヘッド支持機構１の詳細を示す。図３（ａ）は上面図、図３（ｂ）は側面図である。磁気ヘッド１０はコア１１、コアの周囲に設けられたコイル１２、及びコア１１とコイル１２とを搭載したスライダー１３から構成されている。コア１１は磁性材料から成り、その端面は光磁気記録媒体４に対向するように形成され、スライダー１３は潤滑性を有する樹脂やセラミック等の材料から成る。
【００４２】
磁気ヘッド１０は１対のジンバル１４ａ、１４ｂの先端に保持され、ジンバル１４ａ、１４ｂは磁気ヘッド１０とともに１対のサスペンション１５ａ、１５ｂにより保持され、サスペンション１５ａ、１５ｂは保持基板１７に取り付けられている。ジンバル１４ａ、１４ｂとサスペンション１５ａ、１５ｂとは補強部材１６により電気的には絶縁されつつ結合されて補強されている。保持基板１７を結合部材３に取り付けることにより、磁気ヘッド支持機構１は光ヘッド２と結合されている。
【００４３】
ジンバル１４ａ、１４ｂはＵ字形状で、一例として弾性を有するリン青銅、ベリリウム銅等の厚さ３０〜５０μｍ、幅０．２〜０．６ｍｍの薄板から成り、サスペンション１５ａ、１５ｂは、一例として弾性を有するステンレスの厚さ４０〜７０μｍ、幅２〜６ｍｍの薄板から、保持基板１７はステンレスの板から成る。また、補強部材１６は樹脂材料から成り、ジンバル１４ａ、１４ｂとサスペンション１５ａ、１５ｂをインサートして成形されている。
【００４４】
ジンバル１４ａ、１４ｂはそれぞれ一端が磁気ヘッド１０のコイル１２の両端に電気的に接続され、他端側にはサスペンション１５ａと１５ｂの間を通って保持基板１７まで延長される延長部分Ｅａ、Ｅｂが形成され、この延長部分Ｅａ、Ｅｂの先端が保持基板１７に形成された凹形状切欠き部Ｒ２内において配線９と電気的に接続されている。また、ジンバル１４ａ、１４ｂの延長部分Ｅａ、Ｅｂとサスペンション１５ａ、１５ｂとは、間に十分な空間を設けることによって電気的に絶縁されている。
【００４５】
このように本実施形態においては、ジンバル１４ａ、１４ｂは磁気ヘッド１０のコイル１２に電流供給するための電流供給路を構成しているが、サスペンション１５ａ、１５ｂは電流供給路を構成していない。
【００４６】
ここで、サスペンション１５ａ、１５ｂの保持基板１７への接続は強固であり、且つ、製造も容易でなければならない。そこで、サスペンション１５ａ、１５ｂを保持基板１７の下面に密着させ、スポット溶接によって一体的に接合されている。或いは、かしめ等の圧着により接合してもよい。サスペンション１５ａ、１５ｂと保持基板１７とを電気的に絶縁する必要は無いので、第１の実施形態のような絶縁部材は不要である。ジンバル１４ａ、１４ｂの延長部分Ｅａ、Ｅｂと配線９との接続部においては、保持基板１７に凹形状切欠き部を形成する等、形状の変化程度で接触を防止することができる。
【００４７】
サスペンション１５ａ、１５ｂは、保持基板１７への取り付け位置において、カートリッジ６の開口Ｗに向かって下方に屈曲しており、その付勢力によって磁気ヘッド１０を開口Ｗ内において光磁気記録媒体４上にロード（押圧）する。また、図１に示すように駆動部材７を矢印Ａで示す方向にスライド駆動し、補強部材１６に当接させて押し上げることにより、サスペンション１５ａ、１５ｂを弾性変形させて磁気ヘッド支持機構１全体を矢印Ｂで示すように回動させ、磁気ヘッド１０を光磁気記録媒体４上からアンロード（退避）させることができる。
【００４８】
また、カートリッジ６の開口Ｗ内において、光ヘッド２は光磁気記録媒体４の下面側に配置され、磁気ヘッド１０は光ヘッド２に対向して上面側にロード（押圧）される。この時、磁気ヘッド支持機構１はカートリッジ６の上面の上方から開口Ｗ内に向かって下降傾斜している。磁界発生部であるコア１１の端面の中心が、光ヘッド２の対物レンズ５の光軸Ｚ上（光磁気記録媒体４上に形成する光スポットの位置）に位置付けられるように磁気ヘッド１０と光ヘッド２の位置が調整され、結合されている。
【００４９】
磁気ヘッド駆動回路８からの電流は、配線９、ジンバル１４ａ、１４ｂを経て磁気ヘッド１０のコイル１２に供給される。このように磁気ヘッド１０の支持部材自体を電流供給路として使用すれば、配線をジンバル１４ａ、１４ｂに沿って配設固定したり、磁気ヘッド１０に対して直接接続する必要はない。従って、配線９の持つ剛性が支持部材、特にジンバル１４ａ、１４ｂにおける機械的な特性に悪影響を及ぼすことが無く、ジンバル１４ａ、１４ｂを幅が狭くＵ字形状とする等した場合でも、所望の微小な機械特性を安定的に実現することが容易であり、製造も容易である。
【００５０】
ここで、ジンバル１４ａ、１４ｂを薄く、幅が小さい部材で構成することによって、磁気ヘッド１０を垂直方向には十分に弾力的に保持する。また、ジンバル１４ａ、１４ｂの光磁気記録媒体４に対する傾斜を十分に小さくする等の方法で、光磁気記録媒体４の表面の高さのばらつきや回転に伴う面振れ等による磁気ヘッド１０の垂直方向の変位に伴う水平方向の変位を最小限に抑える。
【００５１】
更に、Ｕ字形状の逆の傾斜を有する折り返し部分に、順方向部分或いはサスペンション１５ａ、１５ｂによって生じる回動変位に伴う水平方向の変位を相殺する機能を持たせることにより、支持部材全体で生じる水平方向の変位を一層低減する効果を持たせることもできる。また、ジンバル１４ａ、１４ｂはコイル１２への電流供給路でもあるから、電気抵抗率が小さい銅合金、特にリン青銅またはベリリウム銅で構成するのが適している。このような材料はコイル１２や配線９とハンダ接続が可能であるから生産性も良い。
【００５２】
一方、サスペンション１５ａ、１５ｂはジンバル１４ａ、１４ｂよりも厚く、幅が広い部材で構成することによってジンバル１４ａ，１４ｂより高い剛性を与えることができ、その結果、外部から光磁気記録装置に加わる振動や衝撃、或いは光磁気記録媒体４の変位に対しても変形を生じにくく、磁気ヘッド１０の水平方向の変位の原因となる支持部材全体の回動変位を抑制することができる。このため、特にサスペンション１５ａ、１５ｂは、ジンバル１４ａ、１４ｂを構成する銅合金と比較して機械的強度（引張強さ）において優れたステンレスやばね用鋼材で構成するのが望ましく、保持基板１７も同一または類似組成の材料で構成することによって両者をスポット溶接で強固に接合することが可能となる。
【００５３】
このようなステンレスや鋼材はジンバル１４ａ、１４ｂを構成する銅合金よりも電気抵抗率は高く、ハンダ接続もできないが、サスペンション１５ａ、１５ｂはコイル１２への電流供給路ではないので、まったく支障はない。また、サスペンション１５ａ、１５ｂと保持基板１７の構成材料の組成が異なりスポット溶接ができない場合には、かしめ等の圧着により接合してもよい。
【００５４】
なお、本実施形態においては補強部材１６と保持基板１７との間には、サスペンション１５ａ、１５ｂと共にジンバル１４ａ、１４ｂの延長部分Ｅａ、Ｅｂも平行して配置されている。この部分の幅及び厚さはサスペンション１５ａ、１５ｂよりも小さく、機械的強度は小さいが、この延長部分Ｅａ、Ｅｂは電流供給路として機能するのみであり、機械的な保持の機能は主にサスペンション１５ａ、１５ｂが担うので、特に支障が生じることはない。
【００５５】
このようにジンバル１４ａ、１４ｂとサスペンション１５ａ、１５ｂとを別個の部材で構成し、それぞれに必要とされる特性に応じて剛性（厚さ及び構成材料）を異ならせることにより、ジンバル１４ａ、１４ｂについては磁気ヘッド１０を十分に弾力的に保持しつつ電流供給に際しての電力損失を最小限にし、且つ、サスペンション１５ａ、１５ｂについては外部から加わる振動や衝撃による変位や、回動変位を抑制するという相異なる特性を両立することができる。その結果、図５により説明した第１の実施形態の作用と同様に、磁気ヘッド１０の垂直方向への変位に伴う水平方向の変位を十分に低減することができる。
【００５６】
また、本実施形態においてはサスペンション１５ａ、１５ｂを上下から挟む絶縁部材を不要としたことから、装置の高さを低減することができる。更には、サスペンション１５ａ、１５ｂ自体の取り付け高さ（屈曲部の位置）を低くすれば、その傾斜を小さくできるので、回動変位に伴う磁気ヘッド１０の水平方向の変位を一層低減することができる。
【００５７】
（第３の実施形態）
次に、本発明の第３の実施形態について説明する。本実施形態では光磁気記録装置の全体構成については第１の実施形態と同一であるので説明は省略し、特徴を有する磁気ヘッド支持機構１についてのみ説明する。
【００５８】
図４は磁気ヘッド支持機構１の詳細を示す。図４（ａ）は上面図、図４（ｂ）は側面図である。磁気ヘッド１０はコア１１、コアの周囲に設けられたコイル１２、及びコア１１とコイル１２とを搭載したスライダー１３から構成されている。コア１１は磁性材料から成り、その端面は光磁気記録媒体４に対向するように形成され、スライダー１３は潤滑性を有する樹脂やセラミック等の材料から成る。
【００５９】
磁気ヘッド１０は１対のジンバル１４ａ、１４ｂの先端に保持され、ジンバル１４ａ、１４ｂは磁気ヘッド１０とともにサスペンション１５により保持され、サスペンション１５は保持基板１７に取り付けられている。ジンバル１４ａ、１４ｂとサスペンション１５とは補強部材１６により電気的には絶縁されつつ結合されて補強されている。保持基板１７を結合部材３に取り付けることにより、磁気ヘッド支持機構１は光ヘッド２と結合されている。
【００６０】
ジンバル１４ａ、１４ｂはＵ字形状で、一例として弾性を有するリン青銅、ベリリウム銅等の厚さ３０〜５０μｍ、幅０．２〜０．６ｍｍの薄板から成り、サスペンション１５は、一例として弾性を有するステンレスの厚さ４０〜７０μｍ、幅４〜１２ｍｍの薄板から、保持基板１７はステンレスの板から成る。また、補強部材１６は樹脂材料から成り、ジンバル１４ａ、１４ｂとサスペンション１５をインサートして成形されている。
【００６１】
ジンバル１４ａ、１４ｂはそれぞれ一端が磁気ヘッド１０のコイル１２の両端に電気的に接続されている。また、サスペンション１５と保持基板１７には、それらの取り付け位置においてそれぞれ凹形状の切欠きによる配設路Ｍ１、Ｍ２が形成され、配線９はこの配設路Ｍ１、Ｍ２を通り、更にはサスペンション１５上を沿って、補強部材１６の一端まで延びている。ジンバル１４ａ、１４ｂの他端は補強部材１６の一端に形成された凹部Ｒ３内への露出部分において配線９と電気的に接続されている。このように本実施形態においても、ジンバル１４ａ、１４ｂは磁気ヘッド１０のコイル１２に電流供給するための電流供給路を構成しているが、サスペンション１５は電流供給路を構成していない。
【００６２】
ここで、サスペンション１５の保持基板１７への接続は強固であり、且つ、製造も容易でなければならない。そこで、サスペンション１５を保持基板１７の下面に密着させ、スポット溶接によって一体的に接合されている。或いは、かしめ等の圧着により接合してもよい。サスペンション１５と保持基板１７とを電気的に絶縁する必要は無いので、第１の実施形態のような絶縁部材は不要である。
【００６３】
サスペンション１５は保持基板１７への取り付け位置において、カートリッジ６の開口Ｗに向かって下方に屈曲しており、その付勢力によって磁気ヘッド１０を開口Ｗ内において光磁気記録媒体４上にロード（押圧）する。また、図１に示すように駆動部材７を矢印Ａで示す方向にスライド駆動し、補強部材１６に当接させて押し上げることにより、サスペンション１５を弾性変形させて磁気ヘッド支持機構１全体を矢印Ｂで示すように回動させ、磁気ヘッド１０を光磁気記録媒体４上からアンロード（退避）させることができる。
【００６４】
カートリッジ６の開口Ｗ内において、光ヘッド２は光磁気記録媒体４の下面側に配置され、磁気ヘッド１０は光ヘッド２に対向して上面側にロード（押圧）される。この時、磁気ヘッド支持機構１はカートリッジ６の上面の上方から開口Ｗ内に向かって下降傾斜している。磁界発生部であるコア１１の端面の中心が、光ヘッド２の対物レンズ５の光軸Ｚ上（光磁気記録媒体４上に形成する光スポットの位置）に位置付けるように磁気ヘッド１０と光ヘッド２の位置が調整され、結合されている。
【００６５】
磁気ヘッド駆動回路８からの電流は、配線９、ジンバル１４ａ、１４ｂを経て磁気ヘッド１０のコイル１２に供給される。このように磁気ヘッド１０の支持部材自体を電流供給路として使用すれば、配線をジンバル１４ａ、１４ｂに沿って配設固定したり、磁気ヘッド１０に対して直接接続する必要はない。従って、配線９の持つ剛性が支持部材、特にジンバル１４ａ、１４ｂにおける機械的な特性に悪影響を及ぼすことが無く、ジンバル１４ａ、１４ｂを幅が狭くＵ字形状とする等した場合でも、所望の微小な機械特性を安定的に実現することが容易であり、製造も容易である。
【００６６】
ここで、ジンバル１４ａ、１４ｂを薄く、幅が小さい部材で構成することによって、磁気ヘッド１０を垂直方向には十分に弾力的に保持する。また、ジンバル１４ａ、１４ｂの光磁気記録媒体４に対する傾斜を十分に小さくする等の方法で、光磁気記録媒体４の表面の高さのばらつきや回転に伴う面振れ等による磁気ヘッド１０の垂直方向の変位に伴う水平方向の変位を最小限に抑える。
【００６７】
また、Ｕ字形状の逆の傾斜を有する折り返し部分に、順方向部分或いはサスペンション１５によって生じる回動変位に伴う水平方向の変位を相殺する機能を持たせることにより、支持部材全体で生じる水平方向の変位を一層低減する効果を持たせることもできる。また、ジンバル１４ａ、１４ｂはコイル１２への電流供給路でもあるから、電気抵抗率が小さい銅合金、特にリン青銅またはベリリウム銅で構成するのが適している。このような材料はコイル１２や配線９とハンダ接続が可能であるから生産性も良い。
【００６８】
一方、サスペンション１５はジンバル１４ａ、１４ｂよりも厚く、幅が広い部材で構成することによってジンバル１４ａ，１４ｂより高い剛性を与えることができ、その結果、外部から光磁気記録装置に加わる振動や衝撃、或いは光磁気記録媒体４の変位に対しても変形を生じにくく、磁気ヘッド１０の水平方向の変位の原因となる支持部材全体の回動変位を抑制することができる。このため、特にサスペンション１５は、ジンバル１４ａ、１４ｂを構成する銅合金と比較して機械的強度（引張強さ）において優れたステンレスやばね用鋼材で構成するのが望ましく、保持基板１７も同一または類似組成の材料で構成することによって両者をスポット溶接で強固に接合することが可能となる。
【００６９】
このようなステンレスや鋼材はジンバル１４ａ、１４ｂを構成する銅合金よりも電気抵抗率は高く、ハンダ接続もできないが、サスペンション１５はコイル１２への電流供給路ではないので、まったく支障はない。また、サスペンション１５と保持基板１７の構成材料の組成が異なりスポット溶接ができない場合には、かしめ等の圧着により接合してもよい。
【００７０】
このようにジンバル１４ａ、１４ｂとサスペンション１５とを別個の部材で構成し、それぞれに必要とされる特性に応じて剛性（厚さ及び構成材料）を異ならせることにより、ジンバル１４ａ、１４ｂについては磁気ヘッド１０を十分に弾力的に保持しつつ電流供給に際しての電力損失を最小限にし、且つ、サスペンション１５については外部から加わる振動や衝撃による変位や、回動変位を抑制するという相異なる特性を両立することができる。その結果、図５により説明した第１の実施形態の作用と同様に、磁気ヘッド１０の垂直方向への変位に伴う水平方向の変位を十分に低減することができる。
【００７１】
また、本実施形態においてはサスペンション１５を上下から挟む絶縁部材を不要としたことから、装置の高さを低減することができる。更には、サスペンション１５自体の取り付け高さ（屈曲部の位置）を低くすれば、その傾斜を小さくすることができるので、その結果回動変位に伴う磁気ヘッド１０の水平方向の変位を一層低減することができる。
【００７２】
また、第２の実施形態のようにジンバル１４ａ、１４ｂと配線９の接続位置を、サスペンション１５ａ、１５ｂと保持基板１７の取り付け位置近傍に設けた場合には、接続のためのハンダが保持基板１７よりも上に突出しないように高さを厳密に管理して製造するか、またはハンダの突出を考慮し、接触防止のために保持基板１７上に十分なクリアランスを設けて装置の外装を高くする必要がある。しかし、本実施形態のようにジンバル１４ａ、１４ｂと配線９の接続位置を、保持基板１７から離して補強部材１６上としたことによって、ハンダが保持基板１７よりも上へ突出する心配はなくなるので、装置の厚さを最小限とすることが容易となる。
【００７３】
次に、本発明の実施態様について列挙する。
【００７４】
（実施態様１）
光磁気記録媒体の表面に向かって下降傾斜するように配置され、先端に前記光磁気記録媒体に磁界を印加する磁気ヘッドを保持する磁気ヘッド支持機構において、前記磁気ヘッドを弾力的に保持するとともに、前記磁気ヘッドに電気的に接続されて電流供給路を構成するジンバル、前記ジンバルを保持し、前記ジンバルより剛性の高い別の部材から成り、弾性変形することによって前記磁気ヘッドの前記光磁気記録媒体上へのロード（押圧）／アンロード（退避）動作を行うためのサスペンションによって構成されたことを特徴とする磁気ヘッド支持機構。
【００７５】
（実施態様２）
前記サスペンションは前記ジンバルよりも厚い板状部材によって構成されることを特徴とする実施態様１に記載の磁気ヘッド支持機構。
【００７６】
（実施態様３）
前記サスペンションは前記磁気ヘッドへの電流供給路を構成しないことを特徴とする実施態様１または２に記載の磁気ヘッド支持機構。
【００７７】
（実施態様４）
前記ジンバルを銅合金で構成したことを特徴とする実施態様１から３のいずれか１項に記載の磁気ヘッド支持機構。
【００７８】
（実施態様５）
前記サスペンションをステンレス、またはばね用鋼材によって構成したことを特徴とする実施態様１から４のいずれか１項に記載の磁気ヘッド支持機構。
【００７９】
（実施態様６）
前記サスペンションを前記光磁気記録媒体の上方に固定される保持基板に密着させて接合したことを特徴とする実施態様３に記載の磁気ヘッド支持機構。
【００８０】
（実施態様７）
前記磁気ヘッドへの電流供給のための配線を前記サスペンションに沿って配設し、前記ジンバルに接続したことを特徴とする実施態様３に記載の磁気ヘッド支持機構。
【００８１】
（実施態様８）
光磁気記録媒体に対して、磁気ヘッドによって情報信号によって変調された磁界を印加すると同時に、磁界の印加部分に光ヘッドによって光ビームを照射することで情報信号の記録を行う光磁気記録装置において、前記磁気ヘッドは、前記光磁気記録媒体の表面に向かって下降傾斜するように配置された磁気ヘッド支持機構の先端に保持され、前記磁気ヘッド支持機構は、前記磁気ヘッドを弾力的に保持するとともに、前記磁気ヘッドに電気的に接続され電流供給を行うためのジンバル、前記ジンバルを保持し、前記ジンバルより剛性の高い別の部材から成り、弾性変形することによって前記磁気ヘッドの前記光磁気記録媒体上へのロード（押圧）／アンロード（退避）動作を行うためのサスペンションによって構成されたことを特徴とする光磁気記録装置。
【００８２】
【発明の効果】
以上説明したように本発明によれば、サスペンションをジンバルとは別個の剛性の高い部材で構成したことにより、ジンバルは磁気ヘッドを十分に弾力的に保持し、且つ、サスペンションについては回動変位を抑制するという相異なる特性を両立することができる。これにより、外部から加わる振動や衝撃による磁気ヘッドの変位、或いは光磁気記録媒体の表面が垂直方向に変位する時、それに伴う水平方向の変位を低減できるので、磁気ヘッドのコアの端面の寸法を小さくしても磁界の印加領域内に光スポットを形成することができる。その結果、磁気ヘッドのインダクタンスは低下し、光磁気記録装置による情報信号の記録速度を向上することが可能となる。
【００８３】
また、ジンバルは磁気ヘッドのコイルに電流供給するための電流供給路を構成し、サスペンションは電流供給路を構成しないようにすれば、サスペンションと保持基板とを電気的に絶縁するための絶縁部材は不要となるので、サスペンションが保持基板に密着するように、スポット溶接やかしめ等の圧着によって、強固に接合することができる。その結果、光磁気記録装置の高さを低減することができるばかりでなく、サスペンション自体の取り付け高さを低くすれば、その傾斜を小さくすることができるので、その回動変位に伴う磁気ヘッドの水平方向の変位を一層低減することができる。
【図面の簡単な説明】
【図１】本発明の第１の実施形態の概略構成を示す図である。
【図２】第１の実施形態の磁気ヘッド支持機構を示す図である。
【図３】本発明の第２の実施形態を示す図である。
【図４】本発明の第３の実施形態を示す図である。
【図５】本発明による磁気ヘッド支持機構の作用、効果を説明する図である。
【図６】従来の光磁気記録装置の概略構成を示す図である。
【図７】従来の磁気ヘッド支持機構の構成を示す図である。
【図８】従来の磁気ヘッド支持機構の課題を説明する図である。
【符号の説明】
１  磁気ヘッド支持機構
２  光ヘッド
３  結合部材
４  光磁気記録媒体
５  対物レンズ
６  カートリッジ
７  駆動部材
８  磁気ヘッド駆動回路
９  配線
１０  磁気ヘッド
１１  コア
１２  コイル
１３  スライダー
１４，１４ａ，１４ｂ  ジンバル
１５，１５ａ，１５ｂ  サスペンション
１６  補強部材
１７  保持基板
１８  絶縁部材
Ｗ  開口
Ｈ  角穴
Ｍ１、Ｍ２  配線路
Ｐａ１，Ｐａ２，Ｐｂ１，Ｐｂ２  突起部
Ｒ１  凹部（第１実施形態の補強部材）
Ｒ２  凹形状切欠き部（第２実施形態の保持基板）
Ｒ３  凹部（第３実施形態の補強部材）
Ｅａ，Ｅｂ  ジンバルの延長部分
【図１】
2004227712.tif 000003
【図２】
2004227712.tif 000004
【図３】
2004227712.tif 000005
【図４】
2004227712.tif 000006
【図５】
2004227712.tif 000007
【図６】
2004227712.tif 000008
【図７】
2004227712.tif 000009
【図８】
2004227712.tif 000010